(57)【要約】【課題】速度変調コイルの電子ビーム路方向のコイル長を自由に設定でき、輪郭補償特性を向上できる画質補償装置を提供することを目的とする。【解決手段】円筒部１７の下側面には４つの巻付部２１が設けられ上側面には４つの巻付部２２が設けられる。金属端子１９に銅線２５を巻付け、円筒部１７下側の４つの巻付部２１を順次通るように左回りに複数回巻付けて下側コイル２３を形成する。続いて下側コイル２３より出た銅線２５を円筒部１７の側面を通りながら上側に持っていき、４つの巻付部２２を順次通るように複数回巻付けて上側コイル２４を形成する。続いて上側コイル２４より出た銅線２５を端子取付部１８の裏側を通って＋側の金属端子２０に巻付ける。端子取付部１８は円筒部軸方向においてコイルの内側に位置している。【選択図】  図１
2004220789.tif 000002
【特許請求の範囲】
【請求項１】
インライン方式の陰極線管のネック部に取付けられるスタティックコンバージェンス装置に、輪郭補償用の第１のコイルおよび第２のコイルよりなる速度変調コイルを組み合わせた画質補償装置であって、前記ネック部と嵌合し、かつ外周面上側に第１のコイルが、外周面下側に第２のコイルが巻付けられる円筒部と、前記速度変調コイルの先端部が結線される金属端子を有し、円筒部の右側あるいは左側に伸びている端子取付部とを備え、前記第１のコイルおよび第２のコイルは、円筒部の軸方向に前記端子取付部をまたがずに巻付けられており、前記速度変調コイルが結線される金属端子へ配線される導線が、前記第１のコイル及び第２のコイルのない円筒側面を通ることを特徴とする画質補償装置。
【発明の詳細な説明】
【０００１】
【発明の属する技術分野】
本発明は、カラーテレビジョン受像機、特にインライン方式の陰極線管に用いられるスタティックコンバージェンス装置に、速度変調コイルを組み合わせた画質補償装置に関するものである。
【０００２】
【従来の技術】
インライン方式の陰極線管の電子ビームのＲＧＢ（Ｒｅｄ  Ｇｒｅｅｎ  Ｂｌｕｅ）位置捕正を行うスタティックコンバージェンス装置に、電子ビームの水平走査速度を映像の輝度変化部分で変調して映像の輪郭を明瞭にするように、映像信号の一次微分波形の補助偏向電流を流す速度変調コイルを組み合わせて画質補償装置を構成することが一般に行われている（例えば特許文献１、２参照。）。
【０００３】
このような一体構造の従来の画質補償装置の一例を説明する。図３（ａ）は従来の画質補償装置の正面図、図３（ｂ）は従来の画質補償装置の側面図であり、コンハージェンスマグネットは図示していない。
【０００４】
この画質補償装置１０は、円筒部１と、この円筒部１の端部に円筒部１の外周を取囲むように設けられた端子取付部２とから成るホルダ３を備え、円筒部１には２個のコイルすなわち下側コイル４と上側コイル５とを巻付ける巻付部が設けられている。１本の絶縁被膜銅線６をホルダ３の巻付部に巻付けた下側コイル４、続いて上側コイル５を形成し速度変調コイルが構成されている。コイルの先端部は、端子取付部２に固定された２本の金属端子７、８に半田付けされている。
【０００５】
速度変調コイルが取付けられた円筒部１のマグネットアセンブリ部９には、例えば２極、４極、６極のそれぞれ２枚１組のコンバージェンスマグネットが共回り防止用のリングを介挿されて嵌合され、画質補償装置１０が構成される。このような構造の従来の画質補償装置１０をカラーテレビジョン受像機の陰極線管に取付けた状態を図４に示す。図４は従来の画質補償装置を陰極線管に取り付けた側面図であって、金属端子に接続されたリード線１１およびその先端のコネクタ１２を介して回路基板上の補助偏向電流発生回路へ接続されるタイプのものを図示している。
【０００６】
画質補償装置１０は、端子取付部２が陰極線管１３に組み込まれた電子ビーム走査用偏向ヨーク１４へ向くようにして陰極線管１３のネック部１５へ取付けられる。このような取付け時の相対位置関係に関して、相手方の取付部品等の関係で、偏向ヨーク１４と画質補償装置１０の端子取付部２との間に離間距離Ｘを設けることが必要になってくる。
【０００７】
【特許文献１】
特公昭５６−１３０６６号公報
【特許文献２】
実公昭５８−２３１７１号公報
【０００８】
【発明が解決しようとする課題】
一般に、速度変調コイルは偏向∃ーク１４に近い程、輪郭補償特性は良くなるか、前述した従来の画質補償装置では、端子取付部２が円筒部１の端部に設けられているので、端子取付部２のために離間距離Ｘの部分へ速度変調コイルのコイル長Ｌを電子ビーム路方向に伸ばすことは不可能である。すなわち、偏向ヨ一ク側ヘコイル長Ｌを伸はそうとした場合、端子取付部も偏向∃ーク側へずらさなけれはならないが、前述したように離間距離Ｘを設けなければならないので、これは不可能である。
【０００９】
そこで本発明は、上記従来の課題を解消し、速度変調コイルのコイル長を偏向ヨーク側に伸ばすことを可能にした画質補償装置を提供することを目的とする。
【００１０】
【課題を解決するための手段】
本発明は、インライン方式の陰極線管のネック部にはめ込まれるスタティックコンバージェンス装置に、輪郭補償用の第ｌのコイルおよび第２のコイルよりなる速度変調コイルを組み合わせた画質補償装置であって、前記ネック部と嵌合し、かつ外周面上側に第１のコイルが、外周面下側に第２のコイルが巻付けられる円筒部と、前記速度変調コイルの先端部が結線される金属端子を有し、円筒部の右側あるいは左側に伸びている端子取付部とを備え、前記第１のコイルおよび第２のコイルは、円筒部の軸方向に前記端子取付部をまたいで巻付けられており、前記速度変調コイルの先端部が結線される金属端子へ配線される導線が、前記第１のコイル及び第２のコイルのない円筒内面を通る。
【００１１】
本発明によれば、速度変調コイルのコイル長を偏向ヨーク側に伸ばすことを可能にした画質補償装置を提供できる。
【００１２】
【発明の実施の形態】
請求項１記載の発明は、インライン方式の陰極線管のネック部に取付けられるスタティックコンバージェンス装置に、輪郭補償用の第１のコイルおよび第２のコイルよりなる速度変調コイルを組み合わせた画質補償装置であって、前記ネック部と嵌合し、かつ外周面上側に第１のコイルが、外周面下側に第２のコイルが巻付けられる円筒部と、前記速度変調コイルの先端部が結線される金属端子を有し、円筒部の右側あるいは左側に伸びている端子取付部とを備え、前記第１のコイルおよび第２のコイルは、円筒部の軸方向に前記端子取付部をまたがずに巻付けられており、前記速度変調コイルが結線される金属端子へ配線される導線が、前記第１及び第２のコイルのない円筒側面を通るものであり、端子取付部がコイルの内側に位置しているので、速度変調コイルの電子ビーム路方向のコイル長を自由に設定でき、かつコイルを偏向ヨークに近づけることができ、輪郭補償特性を向上させることができる。
【００１３】
以下、本発明の実施の形態について、図面を参照して説明する。図１（ａ）は、本発明の一実施の形態における画質補償装置のホルダの左側面図、図１（ｂ）は本発明の一実施の形態における画質補償装置のホルダの正面図、図１（ｃ）は本発明の一実施の形態における画質補償装置のホルダの右側面図である。
【００１４】
ホルダ１６は、円筒部１７と、この円筒部１７の片方の端部から円筒部１７の軸方向に内側に寄った位置に設けられた端子取付部１８とから成る。端子取付部１８は、後述する上側コイル（第１のコイル）および下側コイル（第２のコイル）を円筒部１７に巻付けて速度変調コイルを形成するときに、コイル巻付けに障害とならない形状を有している。すなわち、図３（ａ）に示した従来の画質補償装置の端子取付部２は円筒部１の外周を取り囲んでいるのとは異なり、本実施の形態では円筒部右側（あるいは左側）にのみ伸びている。なおこの説明において、上側、下側、右側、左側という表現は、図面上において、それぞれ上側、下側、右側、左側を示すものであり、説明の便宜上用いており、絶対的な上下方向、左右方向を示す意味ではない。
【００１５】
端子取付部１８の縁部には、金属端子、この実施の形態では半田めっき硬銅線より成る金属端子１９、２０が固定されており、金属端子１９が−側端子を、金属端子２０が＋側端子を構成している。円筒部１７の下側面には矩形状にコイルを巻付けることができるように４つの巻付部２１が設けられている。同様に、円筒部１７の上側面には矩形状にコイルを巻付けることができるように４つの巻付部２２が設けられている。これら巻付部２１、２２は、円筒部１７の軸方向に端子取付部１８の両側に設けられており、コイルの４つの角においてコイルを支持するものである。
【００１６】
図１（ｃ）は、速度変調コイルを構成する下側コイル２３、上側コイル２４それぞれの巻順の順序を示す図であり、この図を参照しながら、コイルの巻付け順序について説明する。なおコイルの巻付けは、巻線機を使用した自動巻き、あるいは手作業による手動巻きのいずれでも行うことができる。コイルの材料としては、本実施の形態ではポリウレタン被膜銅線２５を使用するものとする。
【００１７】
まず、−側の金属端子１９に銅線２５を巻付け、図１（ｂ）において端子取付部１８の裏側を通って円筒部１７下側の４つの巻付部２１を順次通るように左回りに複数回巻付けて矩形状の下側コイル２３を形成する。続いて下側コイル２３より出た銅線２５を、図１（ａ）に示すように、円筒部１７の側面を通りながら上側に持っていき、４つの巻付部２２を順次通るように複数回巻付けて矩形状の上側コイル２４を形成する。続いて上側コイル２４より出た銅線２５を、図１（ｂ）に示すように端子取付部１８の裏側を通って＋側の金属端子２０に巻付ける。ポリウレタン被膜銅線２５は、金属端子１９、２０に半田付けなどにより結線される。
【００１８】
以上のように下側のコイル２３と上側のコイル２４は端子取付部１８を円筒部１７の軸方向にまたがるように巻かれるので、端子取付部１８は円筒部軸方向においてコイルの内側に位置していることが理解されるであろう。
【００１９】
図２は本発明の一実施の形態における画質補償装置をカラーテレビジョン受像機の陰極線管に取付けた状態の側面図であって、金属端子に接続されたリード線２９およびその先端のコネクタ３０を介して回路基板上の補助偏向電流発生回路へ接続されるタイプのものを図示している。
【００２０】
画質補償装置２６は、端子取付部１８が陰極線管２７に組み込まれた電子ビーム走査用偏向∃ーク２８へ向くようにして陰極線管２７のネック部３１ヘ固定される。この画質補償装置２６は、端子取付部１８が円筒部１７の軸方向において速度変調コイルの内側に位置しているので、図４を参照して説明したように偏向ヨ一ク１４と端子取付部２との問の距離を離間距離Ｘだけ保持したとしても、速度変調コイルは偏向∃ーク側へ近づけるごとができる。さらに、速度変調コイルのコイル長Ｌを電子ビーム方向に対して自由に設定することができる。
【００２１】
【発明の効果】
本発明の画質補償装置によれは、速度変調コイルの電子ビーム路方向のコイル長を自由に設定でき、かつコイルを偏向ヨークに近づけることができるので、輪郭補償特性を向上させることができる。
【図面の簡単な説明】
【図１】（ａ）本発明の一実施の形態における画質補償装置のホルダの左側面図
（ｂ）本発明の一実施の形態における画質補償装置のホルダの正面図
（ｃ）本発明の一実施の形態における画質補償装置のホルダの右側面図
【図２】本発明の一実施の形態における画質補償装置をカラーテレビジョン受像機の陰極線管に取付けた状態の側面図
【図３】（ａ）従来の画質補償装置の正面図
（ｂ）従来の画質補償装置の側面図
【図４】従来の画質補償装置を陰極線管に取付けた側面図
【符号の説明】
１６  ホルダ
１７  円筒部
１８  端子取付部
１９、２０  金属端子
２３  下側コイル
２４  上側コイル
２６  画質補償装置
【図１】
2004220789.tif 000003
【図２】
2004220789.tif 000004
【図３】
2004220789.tif 000005
【図４】
2004220789.tif 000006